【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
アミノオキシ基を含むオリゴ糖を調製する方法であって、
（ａ）第１の反応基を含むオリゴ糖を提供するステップであって、前記第１の反応基はヒドラジド基またはカルボキシル基である前記ステップと、
（ｂ）アミノオキシ基および第２の反応基を含むアミノオキシ化合物を提供するステップと、
（ｃ）前記オリゴ糖の前記第１の反応基と、前記アミノオキシ化合物の前記第２の反応基とを反応させるステップと、
を含み、それによって、前記アミノオキシ基を含むオリゴ糖を調製する方法。
【請求項２】
前記第２の反応基は、ヒドラジン、ヒドラジド、セミカルバジド、チオセミカルバジド、アミン、カルボキシル、エステル、ハロゲン化アシル、アシルアジド、ハロゲン化アルキル、無水物、イソチオシアナート、イソシアナート、およびハロゲン化スルホニル基から選択される、請求項１に記載の方法。
【請求項３】
前記第１の反応基は、ヒドラジド基である、請求項１または２に記載の方法。
【請求項４】
前記第１の反応基は、カルボキシル基である、請求項１または２に記載の方法。
【請求項５】
前記アミノオキシ化合物は、化学式ＩＩの化合物から選択され、
【化１】
2017052962.tif 000001
化学式ＩＩ
式中、Ｙは、前記第２の反応基であり、Ｚは、アルキル、アルケニル、アルキニル、ヘテロアリール、アリール、およびヘテロシクリルから選択され、Ｐは、アミノ保護基から選択される、請求項１〜４のいずれか１項に記載の方法。
【請求項６】
Ｙは、
【化２】
2017052962.tif 000002
【化３】
2017052962.tif 000003
から選択され、式中、Ｘは、ハロゲン、アジド、アシルオキシ、アルコキシ、アリールオキシ、ヘテロアリールオキシ、およびヘテロシクリロキシから選択される、請求項５に記載の方法。
【請求項７】
Ｙは、（ｂ）
【化４】
2017052962.tif 000004
である、請求項６に記載の方法。
【請求項８】
Ｘは、アリールオキシ、ヘテロアリールオキシ、およびヘテロシクリロキシから選択される、請求項７に記載の方法。
【請求項９】
Ｘは、
【化５】
2017052962.tif 000005
である、請求項８に記載の方法。
【請求項１０】
前記アミノオキシ化合物は、化学式ＩＩＩの化合物から選択され、
【化６】
2017052962.tif 000006
化学式ＩＩＩ
式中、Ｙは、第２の反応基であり、ｎは、１〜１０の範囲の整数から選択され、Ｐは、アミノ保護基から選択される、請求項５に記載の方法。
【請求項１１】
ｎは、１である、請求項１０に記載の方法。
【請求項１２】
Ｙは、カルボキシル、エステル、ハロゲン化アシル、アシルアジド、ハロゲン化アルキル、無水物、イソチオシアナート、イソシアナート、またはハロゲン化スルホニル基である、請求項１０または１１に記載の方法。
【請求項１３】
前記アミノオキシ化合物は、
【化７】
2017052962.tif 000007
である、請求項１２に記載の方法。
【請求項１４】
Ｙは、ヒドラジン、ヒドラジド、セミカルバジド、チオセミカルバジド、またはアミン
基である、請求項１０に記載の方法。
【請求項１５】
前記アミノオキシ化合物は、
【化８】
2017052962.tif 000008
である、請求項１４に記載の方法。
【請求項１６】
前記オリゴ糖は、
【化９】
2017052962.tif 000009
である、請求項１に記載の方法。
【請求項１７】
前記オリゴ糖は、
【化１０】
2017052962.tif 000010
である、請求項１に記載の方法。
【請求項１８】
前記アミノオキシ化合物は、アミノ保護基を含み、前記方法は、（ｄ）前記アミノオキシ基を含むオリゴ糖を脱保護するステップをさらに含む、請求項１〜１７のいずれか１項に記載の方法。
【請求項１９】
請求項１〜１８のいずれか１項に記載の方法によって生成される、アミノオキシ基を含むオリゴ糖。
【請求項２０】
アミノオキシ基を含むオリゴ糖を調製する方法であって、
（ａ）第１の反応基を含むオリゴ糖を提供するステップであって、前記オリゴ糖は、
【化１１】
2017052962.tif 000011
であるステップと、
（ｂ）アミノオキシ基および第２の反応基を含むアミノオキシ化合物を提供するステップであって、前記アミノオキシ化合物は、化学式ＩＩＩの化合物から選択され、
【化１２】
2017052962.tif 000012
化学式ＩＩＩ
式中、ｎは、１〜１０の範囲の整数から選択され、Ｐは、アミノ保護基から選択され、Ｙは、前記第２の反応基であるステップと、
（ｃ）前記オリゴ糖の前記第１の反応基と、前記アミノオキシ化合物の前記第２の反応基とを反応させるステップと、
を含み、それによって、前記アミノオキシ基を含むオリゴ糖を調製する、方法。
【請求項２１】
Ｙは、
【化１３】
2017052962.tif 000013
であり、式中、Ｘは、ヒドロキシ、アリールオキシ、ヘテロアリールオキシ、およびヘテロシクリロキシから選択される、請求項２０に記載の方法。
【請求項２２】
Ｘは、
【化１４】
2017052962.tif 000014
である、請求項２１に記載の方法。
【請求項２３】
前記アミノオキシ化合物は、
【化１５】
2017052962.tif 000015
である、請求項２２に記載の方法。
【請求項２４】
ステップ（ｃ）は、結合試薬および／または触媒の存在下で、前記オリゴ糖の前記第１の反応基と、前記アミノオキシ化合物の前記第２の反応基とを反応させるステップを含む、請求項２０〜２３のいずれか１項に記載の方法。
【請求項２５】
前記触媒は、
【化１６】
2017052962.tif 000016
である、請求項２４に記載の方法。
【請求項２６】
アミノオキシ基を含むオリゴ糖を調製する方法であって、
（ａ）第１の反応基を含むオリゴ糖を提供するステップであって、前記オリゴ糖は、
【化１７】
2017052962.tif 000017
であるステップと、
（ｂ）アミノオキシ基および第２の反応基を含むアミノオキシ化合物を提供するステップであって、前記アミノオキシ化合物は、化学式ＩＩＩの化合物から選択され、
【化１８】
2017052962.tif 000018
化学式ＩＩＩ
式中、ｎは、１〜１０の範囲の整数から選択され、Ｐは、アミノ保護基から選択され、Ｙは、前記第２の反応基であるステップと、
（ｃ）前記オリゴ糖の前記第１の反応基と、前記アミノオキシ化合物の前記第２の反応基とを反応させるステップと、
を含み、それによって、前記アミノオキシ基を含むオリゴ糖を調製する、方法。
【請求項２７】
Ｙは、ヒドラジン、ヒドラジド、アミノオキシ、チオセミカルバジド、セミカルバジド、またはアミン基である、請求項２６に記載の方法。
【請求項２８】
前記アミノオキシ化合物は、
【化１９】
2017052962.tif 000019
である、請求項２７に記載の方法。
【請求項２９】
ステップ（ｃ）は、結合試薬および／または触媒の存在下で、前記オリゴ糖の前記第１の反応基と、前記アミノオキシ化合物の前記第２の反応基とを反応させるステップを含む、請求項２６〜２８のいずれか１項に記載の方法。
【請求項３０】
前記結合試薬は、１−エチル−３−（３−ジメチルアミノプロピル）−カルボジイミド（ＥＤＣ）であり、前記触媒は、Ｎ−ヒドロキシスクシンイミド（ＮＨＳ）である、請求項２９に記載の方法。